(57)【特許請求の範囲】
【請求項１】
車輪等の走行体にて支持された走行機体に，軸線を略鉛直にして互いに逆方向に回転する左右一対の刈取り羽根と，この両刈取り羽根を覆うカバーケースと，前記両刈取り羽根における正方向への回転にて刈り取った刈取芝を前記カバーケースの外に放出するための排出ダクトとを備えたロータリーモアを装着して成る走行型芝刈機において，
前記走行機体に搭載した動力源から前記ロータリーモアへの動力伝達部に，前記ロータリーモアにおける両刈取り羽根の回転方向を，刈取芝の排出ダストからの放出を行う正方向と，刈取芝の排出ダクトからの放出を行わない逆方向とに選択的に切り換えるための手段を設ける一方，前記ロータリーモアにおける両刈取り羽根には，当該刈取り羽根を正方向に回転するときにおける刈り刃に加えて，当該刈取り羽根を逆方向に回転するときにおける刈り刃を設けるとともに，逆方向に回転するときにおける刈取芝を地面側に押し付けるようにした傾斜面を設けたことを特徴とする走行型芝刈機。
【発明の詳細な説明】
【０００１】
【発明の属する技術分野】
本発明は，走行機体に，左右一対の回転式刈取り羽根によるロータリーモアを装着して成る走行型芝刈り機に関するものである。
【０００２】
【従来の技術】
従来，この種の走行型芝刈機は，例えば，特開平９−９７５７号公報等に記載されているように，一対の前車輪及び同じく一対の後車輪にて支持された走行機体に，軸線を略鉛直にして互いに逆方向に回転する左右一対の刈取り羽根と，この両刈取り羽根を覆うカバーケースと，刈取芝を両刈取り羽根における正方向への回転にて前記カバーケースの外に放出するようにした排出ダクトとを備えたロータリーモアを装着し，このロータリーモアによって地面における芝草を刈り取ったのち，刈取芝を集めて前記排出ダクトから前記カバーケース外に放出するように構成している。
【０００３】
【発明が解決しようとする課題】
しかし，前記した従来におけるロータリーモアは，専ら，刈取芝を集めて排出ダクトからカバーケース外に放出するという刈取り放出作業を行うものであることにより，刈取芝を地面に対して敷きつめるように分散するというマルチング作業を行うには，前記カバーケースからの排出ダクトを，蓋部材にて塞ぐようにするか，或いは，両刈取り羽根を，刈取芝の排出ダクトからの放出を行わないように構成したものに取り替えるようにしている。
【０００４】
すなわち，前記刈取り放出作業から前記マルチング作業への切り換えに際しては，別の部品を必要するばかりか，これらの部品を取付け又は取り替える作業を必要として，その作業の切り換えがきわめて厄介であるという問題があった。
【０００５】
本発明は，この問題を解消した走行型芝刈り機を提供することを技術的課題とするものである。
【０００６】
【課題を解決するための手段】
この技術的課題を達成するため本発明の請求項１は，
「車輪等の走行体にて支持された走行機体に，軸線を略鉛直にして互いに逆方向に回転する左右一対の刈取り羽根と，この両刈取り羽根を覆うカバーケースと，前記両刈取り羽根における正方向への回転にて刈り取った刈取芝を前記カバーケースの外に放出するための排出ダクトとを備えたロータリーモアを装着して成る走行型芝刈機において，
前記走行機体に搭載した動力源から前記ロータリーモアへの動力伝達部に，前記ロータリーモアにおける両刈取り羽根の回転方向を，刈取芝の排出ダストからの放出を行う正方向と，刈取芝の排出ダクトからの放出を行わない逆方向とに選択的に切り換えるための手段を設ける一方，前記ロータリーモアにおける両刈取り羽根には，当該刈取り羽根を正方向に回転するときにおける刈り刃に加えて，当該刈取り羽根を逆方向に回転するときにおける刈り刃を設けるとともに，逆方向に回転するときにおける刈取芝を地面側に押し付けるようにした傾斜面を設けた。」
ことを特徴としている。
【０００７】
【発明の作用・効果】
請求項１に記載した構成において，走行機体を走行しながらロータリーモアにおける両刈取り羽根を正方向に回転することにより，地面における芝を順次刈り取ったのち，その刈取芝を集めて排出ダクトからカバーケース外に放出するという刈り取り放出作業を行うことができる。
【０００８】
そこで，前記両刈取り羽根を逆方向への回転に切り換えることにより，刈取芝は，カバーケース内から排出ダクトを介して放出されることなく，カバーケース内において地面に対して敷きつめるように広く分散できるというマルチング作業を行うことができる。
【０００９】
従って，本発明によると，前記刈取り放出作業から前記マルチング作業への切り換えが，回転方向に切り換えにて行うことができ，この際に従来のように，別の部品を必要することに加えて，これらの部品を取付け又は取り替える作業を必要としないから，前記した作業の切り換えが至極簡単に，且つ，迅速に行うことができる効果を有する。
【００１０】
この場合において，前記ロータリーモアにおける両刈取り羽根には，当該刈取り羽根を正方向に回転するときにおける刈り刃に加えて，当該刈取り羽根を逆方向に回転するときにおける刈り刃を設けるとともに，逆方向に回転するときにおける刈取芝を地面側に押し付けるようにした傾斜面を設けたことにより，逆回転するときにおける刈り取りが，正回転するときと同様して行うことができるとともに，逆回転のときにおける刈取芝を，前記傾斜面にて地面側に押し付けながら逆方向に回転するときにおける刈り刃にて再度裁断するというように，前記傾斜面がない場合よりも更に細かく裁断することができて，広く均等に分散することができる。
【００１１】
【発明の実施の形態】
以下，本発明の実施の形態を，図１〜図５の図面について説明する。
【００１２】
図１及び図２において，符号１は，例えば，左右一対の前車輪２及び左右一対の後車輪３等の走行体にて支持された走行機体を示し，この走行機体１には，その前部上面にエンジン４と操縦ハンドル５とが前後に並べて設けられ，その後部上面に操縦座席６と走行ミッション機構７とが上下に重ねて設けられている。
【００１３】
また，前記走行機体１の下面側で，且つ，前記両前車輪２と両後車輪３との間には，略鉛直の軸線の回りに回転する左右一対の薄い金属板製の刈取り羽根８ａ，８ｂと，この両刈取り羽根８ａ，８ｂの全体を覆い下面を開放したカバーケース８ｃと，このカバーケース８ｃから前記両後車輪３の間を通って後方に延びる排出ダクト８ｄとから成るロータリーモア８が，昇降動可能に装着されている。なお，このロータリーモア８の昇降動機構は省略している。
【００１４】
前記エンジン４における出力軸４ａを，当該エンジン４から下向きに突出して，この出力軸４ａの回転を無端ベルト９を介して前記走行ミッション機構７に伝達して，前記両後車輪３を回転駆動することにより，前記走行機体１の前進走行又は後退走行を行うように構成されている。
【００１５】
前記両刈取り羽根８ａ，８ｂのうち一方の刈取り羽根８ａの支持軸８ａ′より平面視（図２）において外側には，中間軸１０を軸支し，この中間軸１０上における正回転用プーリ１１と，前記エンジン４における出力軸４ａ上の出力プーリ１２との間に無端ベルト１３を巻掛けして，エンジン４の回転を中間軸１０に伝達し，この中間軸１０上の別のプーリ１４と，前記両刈取り羽根８ａ，８ｂの支持軸８ａ′，８ｂ′上のプーリ１５，１６との間に無端ベルト１７を図３に示すように巻掛けして，前記両刈取り羽根８ａ，８ｂを，図に実線矢印Ａで示す正方向に互いに逆回転することにより，芝草の刈り取りを行うとともに，刈り取った刈取芝を，両刈取り羽根８ａ，８ｂの正方向への回転にて発生する風と一緒に，カバーケース８ｃから排出ダクト８ｄを介して後方に放出するように構成されている。
【００１６】
そして，前記出力軸４ａから前記中間軸１０までの軸間距離を，出力軸４ａから前記一方の刈取り羽根８ａの支持軸８ａ′までの軸間距離と等しくする一方，前記一方の刈取り羽根８ａの支持軸８ａ′に，逆回転用プーリ１８を嵌着し，前記出力軸４ａからロータリーモア８への動力伝達用の無端ベルト１７を，図２及び図３に二点鎖線で示すように，前記正回転用プーリ１１から前記逆回転用プーリ１８に掛け換え，この掛け換えによって，前記両刈取り羽根８ａ，８ｂを，図に二点鎖線矢印Ｂで示す逆方向に回転するように構成する。
【００１７】
一方，前記両刈取り羽根８ａ，８ｂにおける先端部には，図４及び図５に示すように，これらを実線矢印Ａで示す正方向に回転する場合における刈り刃１９と，二点鎖線矢印Ｂで示す逆方向に回転する場合における刈り刃２０とを設けるとともに，両刈り刃１９，２０に刈り取った刈取芝を，上向きにはね上げるようにした傾斜面２１，２２を有する山型部２３を設ける。この山型部２３は，両刈取り羽根８ａ，８ｂにおける強度アップにも貢献する。
【００１８】
しかも，前記両刈取り羽根８ａ，８ｂにおける先端部には，図４及び図５に示すように，当該刈取り羽根８ａ，８ｂを二点鎖線矢印Ｂで示す逆方向に回転するときにおいて，刈取り羽根における下面のうち刈り刃２０に内側の部分に斜め下向きの傾斜面２４を有する上向きの膨出部２５を設けるという構成にしている。
【００１９】
この構成において，走行機体１を前進走行した状態で，ロータリーモア８を地面に近づけるように下降動してその両刈取り羽根８ａ，８ｂを実線矢印Ａで示す正方向に回転駆動することにより，地面における芝草を所定の高さに刈り取ることができ，この刈り取った刈取芝は，カバーケース８ｃ内から排出ダクト８ｄを介して後方に放出される。
【００２０】
次に，ロータリーモア８への動力伝達用の無端ベルト１７を，前記正回転用プーリ１１から前記逆回転用プーリ１８に掛け換えて，両刈取り羽根８ａ，８ｂを二点鎖線矢印Ｂで示す逆方向に回転駆動することにより，刈り取った刈取芝は，カバーケース８ｃ内から排出ダクト８ｄを介して放出されることなく，カバーケース内において地面に対して敷きつめるように広く分散できるというマルチング作業を行うことができる。
【００２１】
このマルチング作業に際して，前記両刈取り羽根８ａ，８ｂの先端部には，逆方向に回転するときにおける刈り刃２０が設けられていることに加えて，斜め下向きの傾斜面２４が設けられていることにより，二点鎖線矢印Ｂで示す逆方向に回転するときにおける刈り取りが，実線矢印Ａで示す正方向に回転するときと同様して行うことができるとともに，二点鎖線矢印Ｂで示す逆方向に回転するとき刈り取った刈取芝を，前記傾斜面２４にて地面側に押し付けながら再度刈り刃２０にて裁断するというように，前記傾斜面２４が設けられていない場合よりも更に細かく裁断することができて，広く均等に分散することができる。
【００２２】
なお，前記実施の形態は，ロータリーモア８への動力伝達用の無端ベルト１７を，前記正回転用プーリ１１から前記逆回転用プーリ１８に掛け換えることによって，両刈取り羽根８ａ，８ｂを正方向の回転から逆方向の回転に切り換える場合を示したが，本発明は，この機構に限らず，前記無端ベルト１７をたすき掛けに掛け換えるか，或いは，歯車等を使用した逆回転機構等の他の機構によって，正方向の回転から逆方向の回転に切り換えるように構成しても良いことはいうまでもない。
【図面の簡単な説明】
【図１】  本発明の実施の形態による走行型芝刈機の側面図である。
【図２】  図１の平面図である。
【図３】  ロータリーモアへの動力伝達部を示す平面図である。
【図４】  刈取り羽根の先端部を示す斜視図である。
【図５】  図４のＶ−Ｖ視側面図である。
【符号の説明】
１                    走行機体
２                    前車輪
３                    後車輪
４                    エンジン
８                    ロータリーモア
８ａ，８ｂ            刈取り羽根
８ａ′，８ｂ′        刈取り羽根の支持軸
８ｃ                  カバーケース
８ｄ                  排出ダクト
１０                  中間軸
１１                  正回転用プーリ
１７                  無端ベルト
１８                  逆回転用プーリ
１９，２０            刈り刃
２４                  傾斜面
【図１】
0003817181.tif 000002
【図２】
0003817181.tif 000003
【図３】
0003817181.tif 000004
【図４】
0003817181.tif 000005
【図５】
0003817181.tif 000006